(57)【要約】【目的】本発明は、粗品及び景品の包装紙及び包装方法に関する発明である。【構成】本発明は、底片の上方には上側片を介して上スリット及び上横スリットを有する蓋片を、前記底片の下方には下側片を介して下スリット及び下横スリットを有する蓋片を、前記底片の左方には左上下押圧片を有する左側片を介して左押圧片を、前記底片の右方には右上下押圧片を有する右側片を介して右押圧片を連設した折り畳式の包装箱と、前記折り畳式の包装箱内にゴミ袋を包装した包装ゴミ袋と、前記包装ゴミ袋を包装した折り畳式の包装箱を包装する包装紙とからなることを特徴とする粗品及び景品の構成とした。【選択図】　図１
2004123101.tif 000002
【特許請求の範囲】
【請求項１】
底片の上方には上側片を介して上スリット及び上横スリットを有する蓋片を、前記底片の下方には下側片を介して下スリット及び下横スリットを有する蓋片を、前記底片の左方には左上下押圧片を有する左側片を介して左押圧片を、前記底片の右方には右上下押圧片を有する右側片を介して右押圧片を連設した折り畳式の包装箱と、前記折り畳式の包装箱内にゴミ袋を包装した包装ゴミ袋と、前記包装ゴミ袋を包装した折り畳式の包装箱を包装する包装紙とからなることを特徴とする粗品及び景品。
【請求項２】
ゴミ袋をタオルとしたことを特徴とする請求項１に記載の粗品及び景品。
【請求項３】
ゴミ袋を手拭いとしたことを特徴とする請求項１に記載の粗品及び景品。
【発明の詳細な説明】
【０００１】
【発明が属する技術分野】
本発明は、挨拶、お礼等として頻繁に使用されている粗品及び景品の包装に関する発明である。
【０００２】
【従来の技術】
従来、粗品や景品等には簡単な熨斗を貼る方法がとられていた。
【０００３】
【発明が解決しようとする課題】
しかしながら、どこの粗品や景品も外観は同じものであり、また中身も使い捨てるようなもので、会社や企業の印象を良くするどころか、ゴミを増やすだけのものであり、環境には良い品物ではない。
【０００４】
そこで、本発明では、誰もが使うコストの低く、環境問題を考慮した品物に特に注目し、粗品として進呈しても企業広告の役割が大きい包装方法で包装した粗品及び景品を提供することを目的とするものである。
【０００５】
【課題を解決するための手段】
本発明である粗品及び景品は、上記の課題を解決するために、上スリット及び上横スリットを有する蓋片を連設した上側片と、下スリット及び下横スリットを有する蓋片を連設した下側片と、左押圧片と左上下押圧片を連設した左側片と、右押圧片と右上下押圧片を連設した右側片及び底片からなる折り畳式の包装箱と、前記折り畳式の包装箱に梱包された有毒ガスを発生しないポリエチレン製のごみ袋と、前記ごみ袋を梱包した折り畳式の包装箱を包装する、文字と記入欄大を含む絵を中央に持ち、絵の左上と右下に記入欄小を持つ包装紙とからなることを特徴とする粗品及び景品の構成とした。
【０００６】
【実施例】
以下に添付図面に基づき、本発明である粗品及び景品について詳細に説明する。図１は、本発明である粗品及び景品の斜視図、図２は、粗品及び景品の分解図である。
【０００７】
図１、図２に示すように、本発明である粗品及び景品１は、包装箱２、包装紙４、包装ゴミ袋５とからなる。包装箱２は、折りたたみ式の箱であり、小さく畳んだ包装ゴミ袋５を収納し、包装紙４で包装されている。
【０００８】
前記包装紙４の紙４ａ上には、美しい自然を表すような山や湖等をモチーフにした絵４ｄが印刷されており、前記絵４ｄの上部には、「地・球・を・き・れ・い・に　ごみの分別でクリーンアンドリサイクル」という文字４ｃが書かれている。この絵４ｄの内容、文字４ｃの文言及び位置は特に定められたものではなく任意に変更出来るものとする。
【０００９】
また、前記絵４ｄの右下には、記入欄大４ｅを設け、会社、企業、団体等の名称、住所、電話番号、ホームページアドレス等を書き込む事ができる。絵４ｄの左上と右下には記入欄小４ｂ、４ｆが設けられており、包装箱２を包装した際に包装箱２の側面にくる位置に設けられている。
【００１０】
前記記入欄大４ｅ内に書き込む情報は、特に定められたものではなく任意に変更できるため、事業案内やメールアドレス等を書き込む事も可能である。また、前記記入欄小４ｂ、４ｆには、印刷の前若しくは後に任意の文言を記入して使用する事ができ、例えば、梱包されている物の名称を記入したり、配付する地域の名称を記入したりすることで、粗品及び景品１の仕分けなどの際に役立たせることができる。
【００１１】
図３、図４は、本発明である粗品及び景品の包装箱の斜視図である。図３、図４に示すように、包装箱２は蓋片２ｂの上スリット２ｎ先端にある上横スリット２ｐと蓋片２ｃの下スリット２ｏ先端にある下横スリット２ｑを掛合させて蓋とする折り畳み式の箱である。
【００１２】
図５は本発明である粗品及び景品の包装箱を開いた状態を示した斜視図、図６は包装箱からポリ袋を取り出した状態を示した斜視図である。図５、図６に示すように、粗品及び景品１の包装箱２内には、包装ゴミ袋５が畳んで収納されている。また、包装箱２内に入れる物としては、タオル、手拭い、ハンカチ等の通常粗品として使用される物を入れても構わない。
【００１３】
図６に示すように、本発明では正面に説明書き５ｃのされたビニール袋５ｂに１０枚一組でまとめられた１枚４５リットルのゴミ袋５ａを使用したが、このゴミ袋５ａのサイズ、数量は特に定められたものではなく、任意の大きさ、枚数に変更できるものとする。
【００１４】
図７は、本発明である粗品及び景品の包装箱の展開図である。図７に示すように、包装箱２は、一枚の厚紙からできており、折り畳んで箱状にして使用するものである。
【００１５】
底片２ａの上方に上側片２ｈを、下側に下側片２ｉを連設し、更に上側片２ｈは蓋片２ｂを、下側片２ｉは蓋片２ｃを連設している。また、底片の左方には左側片２ｆを、右側には右側片２ｇを連設し、更に左側片２ｆは左押圧片２ｄと左上下押圧片２ｊ、２ｋを連設し、右側片２ｇは右押圧片２ｅと右上下押圧片２ｌ、２ｍを連設している。
【００１６】
前述の包装箱２の全ての連設部分は、折り畳線３〜３ｋとなっており、連設部分より図６に示したように折り畳むことができる。
【００１７】
図７に示すように、前記蓋片２ｂには、前記折り畳線３とは反対側の辺の中央に上スリット２ｎを設けてあり、上スリット２ｎの先端には左側垂直に上横スリット２ｐが設けられている。
【００１８】
同様に、前記蓋片２ｃにも、前記折り畳線３ｃとは反対側の辺の中央に下スリット２ｏが設けてあり、下スリット２ｏの先端には右側垂直に下横スリット２ｑが設けられている。
【００１９】
上スリット２ｎの上横スリット２ｐと下スリット２ｏの下横スリット２ｑの設置方向を反対にした理由は、図４に示すように、蓋２ｂと２ｃを重ねたときに上横スリット２ｐと下横スリット２ｑが掛合するようにするためである。
【００２０】
図８は本発明である粗品及び景品の他の実施例の斜視図である。前記粗品及び景品１にラベル６を貼り付けたもので、ラベル６は、文字（粗品）６ｂの印刷されたシール６ａからできている。
【００２１】
図９は、本発明である粗品及び景品で使用するラベルの正面図である。ラベル６には、シール６ａに文字（粗品）６ｂ、文字（寸志）６ｃ、文字（御中元）６ｄ、文字（御年賀）６ｅ、文字（御歳暮）６ｆなどが印刷されたものがある。また、シール６ａに印刷される文字の内容は、前記文字６ｂから６ｆに限定されるものではなく適宜変更できるものとする。
【００２２】
図１０、図１１は、本発明である粗品及び景品の他の実施例の斜視図である。図１０に示すように、粗品及び景品１ａを包装する包装紙７は、紙７ａ上に絵７ｃが印刷されたものであり、ここでは美しい風景の一つである海岸をイメージしたデザインとした。
【００２３】
絵７ｃ上には、「地・球・を・き・れ・い・に　ごみの分別でクリーンアンドリサイクル」という文字７ｂが印刷されている。また、絵７ｃの右下には、記入欄大７ｄがあり、会社等の住所を記入できる。側面の位置には記入欄小７ｅを設けてある。
【００２４】
包装紙７は、前記包装紙４と同様に文字７ｂを任意の文言にすることができ、記入欄大７ｅ内に表示する内容も任意の情報に変更できる。また、記入欄小７ｅにも使用しやすいように文言を入れたり、空白のままにしておく事ができる。
【００２５】
図１１に示すように、粗品及び景品１ｂは、特に環境問題を意識せずに、企業広告向けの包装紙８を使用したものである。紙８ａ上の絵８ｃには、企業の宣伝となるような図柄を印刷することができる。ここでは、不動産関係の会社とした。
【００２６】
絵８ｃには、不動産を扱っていることを示すモデルハウスの図柄を印刷し、文字８ｂには、宣伝となるような文言「より快適な住まいづくりのために　モデルハウス公開中」を記載した。
【００２７】
また、記入欄大８ｄ、記入欄小８ｅについては、前記包装紙４及び７と同様に任意に記載内容を変える事や、記載せずに空白として後に書き込むことができるようにすることが可能である。
【００２８】
図１、図１０及び図１１に示した包装紙４、７及び８に印刷された絵４ｄ、７ｃ、８ｃや文字４ｃ、７ｂ、８ｂ及び記入欄大小４ｅ、４ｆ、７ｄ、７ｅ、８ｄ、８ｅを直接、包装箱２の表面、側面等に印刷して用いても良い。また、シール６ａ〜６ｆを包装箱２の表面に貼り付けてもよい。
【００２９】
【発明の効果】
本発明は、以上に説明したような構成であるから以下の効果が得られる。第１に、会社、企業、団体等の名称や、簡単な文字、図柄等を包装紙に記載しているため受け取ったときの印象が強く、広告効果が大きい。
【００３０】
第２に、環境に優しいごみ袋と、再生紙でできた包装箱と包装紙を使用する事で、環境問題に前向きに取り組んでいる企業、会社としてのイメージアップを図る宣伝ができる。
【図面の簡単な説明】
【図１】本発明である粗品及び景品の斜視図である。
【図２】本発明である粗品及び景品の分解図である。
【図３】本発明である粗品及び景品の包装箱の斜視図である。
【図４】本発明である粗品及び景品の包装箱の斜視図である。
【図５】本発明である粗品及び景品の包装箱を開いた状態を示した斜視図である。
【図６】本発明である粗品及び景品の包装箱からポリ袋を取り出した状態を示した斜視図である。
【図７】本発明である粗品及び景品の包装箱の展開図である。
【図８】本発明である粗品及び景品の他の実施例の斜視図である。
【図９】本発明である粗品及び景品で使用するラベルの正面図である。
【図１０】本発明である粗品及び景品の他の実施例の斜視図である。
【図１１】本発明である粗品及び景品の他の実施例の斜視図である。
【符号の説明】
１　　　　粗品及び景品
２　　　　包装箱
２ａ　　　底片
２ｂ　　　蓋片
２ｃ　　　蓋片
２ｄ　　　左押圧片
２ｅ　　　右押圧片
２ｆ　　　左側片
２ｇ　　　右側片
２ｈ　　　上側片
２ｉ　　　下側片
２ｊ　　　左上押圧片
２ｋ　　　左下押圧片
２ｌ　　　右上押圧片
２ｍ　　　右下押圧片
２ｎ　　　上スリット
２ｏ　　　下スリット
２ｐ　　　上横スリット
２ｑ　　　下横スリット
３〜３ｋ　折り畳線
４　　　　包装紙
４ａ　　　紙
４ｂ　　　記入欄小
４ｃ　　　文字
４ｄ　　　絵、写真
４ｅ　　　記入欄大
４ｆ　　　記入欄小
５　　　　包装ゴミ袋
５ａ　　　ゴミ袋
５ｂ　　　ビニール袋
５ｃ　　　説明書き
６　　　　ラベル
６ａ　　　シール
６ｂ　　　文字（粗品）
６ｃ　　　文字（寸志）
６ｄ　　　文字（御中元）
６ｅ　　　文字（御年賀）
６ｆ　　　文字（御歳暮）
７　　　　包装紙
７ａ　　　紙
７ｂ　　　文字
７ｃ　　　絵
７ｄ　　　記入欄大
７ｅ　　　記入欄小
８　　　　包装紙
８ａ　　　紙
８ｂ　　　文字
８ｃ　　　絵
８ｄ　　　記入欄大
８ｅ　　　記入欄小
【図１】
2004123101.tif 000003
【図２】
2004123101.tif 000004
【図３】
2004123101.tif 000005
【図４】
2004123101.tif 000006
【図５】
2004123101.tif 000007
【図６】
2004123101.tif 000008
【図７】
2004123101.tif 000009
【図８】
2004123101.tif 000010
【図９】
2004123101.tif 000011
【図１０】
2004123101.tif 000012
【図１１】
2004123101.tif 000013